(57)【要約】【課題】ライフスタイル等の変化に応じて、建物の部屋数や設備を多様に変化させること。【解決手段】建物１０に複数ステージをなす各完成段階を与え、各ステージ０〜４で、床３１、４２、間仕切り壁３４Ａ、３５Ａ、３６Ａ、７２及び／又は設備（台所３４、洗面浴室３５、トイレ３６等）を追加して設けることにより、各ステージ０〜４で異なる間取りを与えるもの。【選択図】　図１
2004027675.tif 000002
【特許請求の範囲】
【請求項１】
建物に複数ステージをなす各完成段階を与え、各ステージで、床、間仕切り壁及び／又は設備を追加して設けることにより、各ステージで異なる間取りを与えるグローイング住宅。
【請求項２】
前記建物の初期ステージで、建物内の全面を土間にしてなる請求項１に記載のグローイング住宅。
【請求項３】
前記建物のあるステージで、土間の一部に床を設けてなる請求項１又は２に記載のグローイング住宅。
【請求項４】
前記建物のあるステージで、床の上に水回り設備を設置してなる請求項１〜３のいずれかに記載のグローイング住宅。
【請求項５】
前記建物のあるステージで、床の上に設けた間仕切り壁の上に部屋を設けてなる請求項１〜４のいずれかに記載のグローイング住宅。
【請求項６】
前記建物のあるステージで、上階床を設け、上階床の上に部屋を設けてなる請求項１〜５のいずれかに記載のグローイング住宅。
【請求項７】
前記建物のあるステージで、前記上階床を支持する床梁を柱勝ちの接合仕口で柱に接合してなる請求項６に記載のグローイング住宅。
【請求項８】
前記建物のあるステージで、下階から上階に渡る吹抜け部を設ける請求項１〜７のいずれかに記載のグローイング住宅。
【請求項９】
前記吹抜け部に遊び具を設置した請求項８に記載のグローイング住宅。
【請求項１０】
前記建物のあるステージで、小屋裏空間を設けてなる請求項１〜９のいずれかに記載のグローイング住宅。
【請求項１１】
前記建物に、各ステージで採用される予定の間取りを想定した位置に間口部を設けておく請求項１〜１０のいずれかに記載のグローイング住宅。
【請求項１２】
前記建物の各ステージで、建物の開口部に窓を新設し、及び／又は既設窓を他の窓に変更する請求項１〜１１のいずれかに記載のグローイング住宅。
【請求項１３】
前記建物に設けた間仕切り壁及び／又は収納の配置を移動可能にした請求項１〜１２のいずれかに記載のグローイング住宅。
【発明の詳細な説明】
【０００１】
【発明の属する技術分野】
本発明はライフスタイルや家族の成長、変化に応じて異なる間取りを与えるグローイング住宅に関する。
【０００２】
【従来の技術】
従来、ライフスタイル等の変化に応じて建物の平面方向や上下方向で間取りを変化させる住宅として、特開平９−１６５９２７に記載のものがある。しかしながら、この従来技術は、建物の吹抜け部に対し、上階床材を移動することにて間取りを変化させるものであり、建物の部屋数や設備を多様に変化させるには至らない。
【０００３】
特開２００１−１０７５７４に記載のフリープラン型住宅は、建物内で最初にキッチンの位置を決定し、他の居住空間や設備空間の位置をその後で決定するものである。この従来技術でも、建物の部屋数や設備を多様に変化させるには至らない。
【０００４】
特開平８−６８２１７に記載の住宅は、サニタリーユニットや階段ユニット等の複数個のユニットを、建物の耐力壁線によって平面的に分けられる第１と第２の区画の一方に配置し、かつそれらの各ユニットを耐力壁線に影響を与えることなしに、複数のタイプから選択するものである。この従来技術でも、建物の部屋数や設備を多様に変化させるには至らない。
【０００５】
特開平６−３０６９３７に記載の住宅は、２階建て以上の住宅において、階上の間仕切り壁を梁背の高い長尺トラスで構成し、該間仕切り壁が支持する階下に広い無柱空間を形成するものである。この従来技術には、建物の部屋数や設備を多様に変化させることの考慮が一切ない。
【０００６】
本発明の課題は、ライフスタイル等の変化に応じて、建物の部屋数や設備を多様に変化させることにある。
【０００７】
【課題を解決するための手段】
請求項１の発明は、建物に複数ステージをなす各完成段階を与え、各ステージで、床、間仕切り壁及び／又は設備を追加して設けることにより、各ステージで異なる間取りを与えるようにしたものである。
【０００８】
請求項２の発明は、請求項１の発明において更に、前記建物の初期ステージで、建物内の全面を土間にしてなるようにしたものである。
【０００９】
請求項３の発明は、請求項１又は２の発明において更に、前記建物のあるステージで、土間の一部に床を設けてなるようにしたものである。
【００１０】
請求項４の発明は、請求項１〜３のいずれかの発明において更に、前記建物のあるステージで、床の上に水回り設備を設置してなるようにしたものである。
【００１１】
請求項５の発明は、請求項１〜４のいずれかの発明において更に、前記建物のあるステージで、床の上に設けた間仕切り壁の上に部屋を設けてなるようにしたものである。
【００１２】
請求項６の発明は、請求項１〜５のいずれかの発明において更に、前記建物のあるステージで、上階床を設け、上階床の上に部屋を設けてなるようにしたものである。
【００１３】
請求項７の発明は、請求項６の発明において更に、前記建物のあるステージで、前記上階床を支持する床梁を柱勝ちの接合仕口で柱に接合してなるようにしたものである。
【００１４】
請求項８の発明は、請求項１〜７のいずれかの発明において更に、前記建物のあるステージで、下階から上階に渡る吹抜け部を設けるようにしたものである。
【００１５】
請求項９の発明は、請求項８の発明において更に、前記吹抜け部に遊び具を設置したようにしたものである。
【００１６】
請求項１０の発明は、請求項１〜９のいずれかの発明において更に、前記建物のあるステージで、小屋裏空間を設けてなるようにしたものである。
【００１７】
請求項１１の発明は、請求項１〜１０のいずれかの発明において更に、前記建物に、各ステージで採用される予定の間取りを想定した位置に間口部を設けておくようにしたものである。
【００１８】
請求項１２の発明は、請求項１〜１１のいずれかの発明において更に、前記建物の各ステージで、建物の開口部に窓を新設し、及び／又は既設窓を他の窓に変更するようにしたものである。
【００１９】
請求項１３の発明は、請求項１〜１２のいずれかの発明において更に、前記建物に設けた間仕切り壁及び／又は収納の配置を移動可能にしたようにしたものである。
【００２０】
【作用】
請求項１の発明によれば下記（１）の作用がある。
（１）グローイング住宅は、建物内に大空間を形成する、躯体、壁、屋根を備えた建物に、ライフスタイル等の変化に応じた各ステージで、床、間仕切り壁及び／又は設備を追加（削除、移設もあり得る）して設ける。これにより、建物の部屋数や設備を必要に応じて多様に変化させることができる。
【００２１】
請求項２の発明によれば下記（２）の作用がある。
（２）建物の初期ステージでは、建物内の全面を土間とすることにより、床、間仕切壁、設備のない体育館のような総吹抜けの大空間からなる簡素な生活空間を最低価格で得ることができる。
【００２２】
請求項３の発明によれば下記（３）の作用がある。
（３）建物のあるステージでは、土間の一部に床を設ける。土間の側はガレージ等の趣味のスペースとして利用し、床の側はリビング等として利用できる。部屋数が必要ないとき、趣味のスペースを広くできる。
【００２３】
請求項４の発明によれば下記（４）の作用がある。
（４）建物のあるステージでは、床の上に台所、洗面浴室、トイレ等の水回り設備を設置することにより、生活空間の充実を図ることができる。
【００２４】
請求項５の発明によれば下記（５）の作用がある。
（５）建物のあるステージでは、床の上に設けた間仕切り壁の上に寝室、収納室等の部屋を設けることにより、生活空間の一層の充実を図ることができる。
【００２５】
請求項６の発明によれば下記（６）の作用がある。
（６）建物のあるステージでは、必要な広さの上階床を設け、上階床の上に子供室、主寝室等の部屋を設けることができる。部屋数を必要に応じて増設できる。
【００２６】
請求項７の発明によれば下記（７）の作用がある。
（７）上階床を支持する床梁を柱勝ちの接合仕口で柱に接合することにより、建物の躯体を構成している既築の柱に床梁を容易に後付けできるし、柱の任意の高さ位置に床梁を接合でき、上階床の階高を自由に選ぶこともできる。
【００２７】
請求項８の発明によれば下記（８）の作用がある。
（８）建物のあるステージで、下階から上階に渡る吹抜け部を設けることもできる。
【００２８】
請求項９の発明によれば下記（９）の作用がある。
（９）吹抜け部は、ブランコ、ネット等の遊び具を設け、アスレチックのような子供の遊び場として利用できる。
【００２９】
請求項１０の発明によれば下記（１０）の作用がある。
（１０）建物のあるステージで、小屋裏空間を設けることもできる。
【００３０】
請求項１１の発明によれば下記（１１）の作用がある。
（１１）建物の躯体に、各ステージで採用される予定の間取りを想定した位置に開口部を設けておくことにより、各ステージで所望の窓を容易に形成できる。
【００３１】
請求項１２の発明によれば下記（１２）の作用がある。
（１２）建物の各ステージで、建物の開口部に窓を新設したり、吹抜け部の嵌め殺し窓等の既設窓を、バルコニー付掃出し窓等の他の窓に変更できる。
【００３２】
請求項１３の発明によれば下記（１３）の作用がある。
（１３）建物に設けた間仕切り壁や収納の配置を移動可能にすることにより、将来の両親同居等にも対応できる。
【００３３】
【発明の実施の形態】
図１はグローイング住宅の変化を示し、（Ａ）はステージ０を示す模式側面図、（Ｂ）はステージ１を示す模式側面図、（Ｃ）はステージ２を示す模式側面図、（Ｄ）はステージ３を示す模式側面図、（Ｅ）はステージ４を示す模式側面図、図２はグローイング住宅の外観を示し、（Ａ）はステージ０〜２を示す正面図、（Ｂ）はステージ３を示す正面図、（Ｃ）はステージ４を示す正面図、図３はグローイング住宅のステージ０の間取りを示し、（Ａ）は１階を示す平面図、（Ｂ）は２階を示す平面図、図４はグローイング住宅のステージ１の間取りを示し、（Ａ）は１階を示す平面図、（Ｂ）は２階を示す平面図、（Ｃ）は小屋裏を示す平面図、図５はグローイング住宅のステージ２の間取りを示し、（Ａ）は１階を示す平面図、（Ｂ）は２階を示す平面図、（Ｃ）は小屋裏を示す平面図、図６はグローイング住宅のステージ３の間取りを示し、（Ａ）は１階を示す平面図、（Ｂ）は２階を示す平面図、（Ｃ）は小屋裏を示す平面図、図７はグローイング住宅のステージ４の間取りを示し、（Ａ）は１階を示す平面図、（Ｂ）は２階を示す平面図、（Ｃ）は小屋裏を示す平面図、図８はグローイング住宅のステージ０を示す斜視図、図９はグローイング住宅のステージ１を示す斜視図、図１０はグローイング住宅のステージ２の第１例を示す斜視図、図１１はグローイング住宅のステージ２の第２例を示す斜視図、図１２はグローイング住宅のステージ２の第３例を示す斜視図、図１３はグローイング住宅のステージ３を示す斜視図、図１４は柱−梁接合仕口を示す斜視図、図１５は補強部材を示し、（Ａ）は正面図、（Ｂ）は平面図、図１６は柱勝ちの接合仕口を示す正面図である。
【００３４】
グローイング住宅１は、柱１１と梁１２を接合した２階建て相当の鉄骨建物１０であり、ステージ０〜ステージ４の５ステージをなす各完成段階を建物１０に与え、各ステージの建物１０に床、間仕切り壁及び／又は設備を追加、移設又は削除して設けることにより、以下に詳述する如くに、建物１０の各ステージにおいて異なる間取りを与える。尚、本実施形態では、柱１１と梁１２にＨ形鋼を用い、しかも柱１１と梁１２に同一断面のＨ形鋼を用いる。
【００３５】
（ステージ０）（図１（Ａ）、図２（Ａ）、図３、図８）
建物１０は、初期ステージたるステージ０で、柱１１と梁１２（図８の１２Ａは屋根梁である）の接合からなる躯体を構成し、躯体の外郭に壁１３を設け、躯体の屋根部に屋根１４を設ける。ステージ０は、例えば夫婦の最初の家づくりに対応する。
【００３６】
建物１０は、各ステージ０〜４で採用される予定の間取りを想定した複数の位置のそれぞれに開口部１５を設け、開口部１５のそれぞれに玄関ドア１５Ａ、扉１５Ｂ、掃出し窓１５Ｃ、嵌め殺し窓１５Ｄ、閉塞パネル１５Ｅ等を設ける。玄関ドア１５Ａの上部の壁１３には玄関庇１６を壁１３から張り出し状に突設している。
【００３７】
建物１０は、床面の全面を土間２１とし、床、間仕切り壁、設備のない体育館のような大空間を形成してある。建物１０は、上階床が全くない総吹抜け部２２を備える。
【００３８】
（ステージ１）（図１（Ｂ）、図２（Ａ）、図４、図９）
建物１０は、ステージ１で、土間２１の一部に１階床３１を設ける。土間２１の側をガレージ等の趣味のスペース３２とし、１階床３１の側はリビング３３として利用する。ステージ１は、夫婦が２人でのびのび暮らす、夢のある暮らしに対応する。
【００３９】
建物１０は、１階床３１の上に台所３４、洗面浴室３５、トイレ３６等の水回り設備も設置する。
【００４０】
建物１０は、１階床３１の上で洗面浴室３５、トイレ３６に沿って設けた間仕切り壁３５Ａ、３６Ａの上に寝室３７を設け、台所３４に沿って設けた間仕切り壁３４Ａの上に収納室３８を設ける。寝室３７は壁１３の内面にも支持され、間仕切り壁３５Ａ、３６Ａの上方に延びる手摺壁３７Ａを備える。収納室３８も壁１３の内面に支持され、間仕切り壁３４Ａの上方に延びる手摺壁３８Ａを備える。寝室３７と収納室３８はそれらの手摺壁３７Ａ、３８Ａを超えて吹抜け部２２に接する。寝室３７と収納室３８は可動階段３９を付帯して備え、１階床３１上を移動する可動階段３９を利用して寝室３７と収納室３８に出入りする。
【００４１】
建物１０は、屋根梁１２Ａを利用した小屋裏空間１７を設ける。１７Ａは小屋裏入口であり、不図示の梯子を利用する等により出入りできる。
【００４２】
（ステージ２）（図１（Ｃ）、図２（Ａ）、図５、図１０〜図１２、図１４〜図１６）
【００４３】
建物１０は、ステージ２で、２階に床梁４１（梁１２と同一断面のＨ形鋼）を設け、必要な大きさの２階床４２を床梁４１に支持し、２階床４２の上に主寝室４３、子供室４４等の部屋を設ける。４２Ａは階段である。主寝室４３は手摺壁４３Ａを備え、子供室４４に手摺壁４４Ａを備える。主寝室４３と子供室４４は、それらの手摺壁４３Ａ、４４Ａを超えて、前述の吹抜け部２２よりも減縮された吹抜け部４５に接する。ステージ２は、子供の空間が必要になった暮らしに対応する。
【００４４】
床梁４１は建物１０の躯体を構成している柱１１の側部に対し、図１４〜図１６に示す如くの補強部材５０を用いて、柱勝ちで接合される。
【００４５】
補強部材５０は、柱勝ちの接合仕口における柱１１の断面内でそのＨ形鋼のウエブｗの両側のそれぞれに装填されて用いられる。
【００４６】
補強部材５０は、図１５に示す如く、両端の各２個のエンドプレート５１、５２と、両エンドプレート５１、５２をつなぐつなぎ部材としての、中央の溝型プレート５３と両側のスチフナプレート５４、５５とからなる。溝型プレート５３はＸ字状の補強リブ５３Ａをそのウエブに備え、一端側の両側部（フランジ）のそれぞれに左右のエンドプレート５１の内側面を溶接され、他端側の両側部（フランジ）のそれぞれに左右のエンドプレート５２の内側面を溶接される。スチフナプレート５４は一端側の側部に左側のエンドプレート５１の外側面を溶接され、他端側の側部に左側のエンドプレート５２の外側面を溶接される。スチフナプレート５５は一端側の側部に右側のエンドプレート５１の外側面を溶接され、他端側の側部に右側のエンドプレート５２の外側面を溶接される。このとき、左右のエンドプレート５１には各１個のボルト挿通孔５１Ａが、左右のエンドプレート５２には各１個のボルト挿通孔５２Ａが設けられている。
【００４７】
以下、補強部材５０を用いた柱勝ちの接合仕口の接合構造について説明する。柱１１の長手方向で柱勝ちの接合仕口を構成する部分における、柱１１のウエブｗの両側のそれぞれにおいて、左右一方のフランジｆ１に各２個のボルト取着孔１１Ａ（補強部材５０の左右のエンドプレート５１のボルト挿通孔５１Ａに対応）を設け、左右他方のフランジｆ２に各２個のボルト取着孔１１Ｂ（補強部材５０の左右のエンドプレート５２のボルト挿通孔５２Ａに対応）を設ける。尚、柱１１の長手方向に予め定めた複数の柱勝ちの接合仕口の予定部のそれぞれにおいてボルト取着孔１１Ａ、１１Ｂを設け、それら複数の予定部のうちから選択した１つを今回の柱勝ちの接合仕口として採用するものでも良い。
【００４８】
柱勝ちの接合仕口を構成する床梁４１の端部（左端部又は右端部）にエンドプレート５６を溶接する。エンドプレート５６において、床梁４１のウエブｗの両側に各２個のボルト挿通孔５６Ａ（補強部材５０の左右のエンドプレート５１のボルト挿通孔５１Ａに対応）を設ける。エンドプレート５６において、各ボルト挿通孔５６Ａの周辺にはＬ字プレート５７が立設されている。Ｌ字プレート５７は、Ｌ字状断面をなしてエンドプレート５６に一端部を溶接されるとともに、一側部を床梁４１のウエブｗに、他側部を床梁４１のフランジｆの外縁部に溶接され、床梁４１のウエブｗとフランジｆの間に囲んだボルト挿入スペース（ボルト５８のための挿入スペース）を他端部に開口している。
【００４９】
柱勝ちの接合仕口は以下の手順で構成される。
（１）柱１１において、柱勝ちの接合仕口を構成する部分において、柱１１のウエブｗの両側に各１個の補強部材５０を装填する。各補強部材５０の溝型プレート５３のウエブを柱１１のウエブｗの両側のそれぞれに添設するように装填する。補強部材５０の両エンドプレート５１、５２は柱１１の両フランジｆ１、ｆ２に添設される。
【００５０】
（２）柱１１の一方のフランジｆ１に床梁４１のエンドプレート５６を突き当てる。床梁４１のエンドプレート５６のボルト挿通孔５６Ａと、柱１１の一方のフランジｆ１のボルト取着孔１１Ａと、補強部材５０のエンドプレート５１のボルト挿通孔５１Ａに高力ボルト５７を挿通し、高力ボルト５８に螺着されるナット５８Ａにより、床梁４１のエンドプレート５６と柱１１のフランジｆ１と補強部材５０のエンドプレート５１を締結する。
【００５１】
（３）柱１１の他方のフランジｆ２と、補強部材５０のエンドプレート５２のボルト挿通孔５２Ａに高力ボルト５９を挿通し、高力ボルト５９に螺着されるナット５９Ａにより、柱１１のフランジｆ２と補強部材５０のエンドプレート５２を締結する。
【００５２】
高力ボルト５７の締結力は、柱勝ちの接合仕口に作用するモーメントにより床梁４１のエンドプレート５６が柱１１のフランジｆ１から開くことのないように設定される。
【００５３】
建物１０は、吹抜け部４５を子供の遊び場４６として利用する。子供の遊び場４６には、２階の子供室４４につながるネット４６Ａを張る（図５）、吹抜け部４５の天井面にブランコ４６Ｂをつるす（図１１）、２階の子供室４４から土間２１に渡る滑り台４６Ｃを設ける（図１１）、土間２１に砂場４６Ｄを設ける（図１１）、吹抜け部４６の天井面からのぼり棒４６Ｅを垂下させる（図１２）、吹抜け部４５の壁面にロッククライミング４６Ｆを設ける（図１２）、２階の子供室４４からネットジム４６Ｇを吊り下げる（図１２）等の遊び具を、子供の成長に応じて設けることができる。
【００５４】
建物１０は、２階の主寝室４３に臨む吹抜け部４５にベビーベッド等を設けたベビーボックス４７を該吹抜け部４５の天井面から吊り下げたり（図１０）、１階の遊び場４６に臨む１階床３１に子供ボックス４８を設置できる（図１１）。建物１０は、２階床４２から出入りできるサウンドボックス（防音室）４９を吹抜け部４５に設け、このサウンドボックス４９の天井面に小屋裏入口１７Ａを開口させても良い。
【００５５】
（ステージ３）（図１（Ｄ）、図２（Ｂ）、図６、図１３）
建物１０は、ステージ３で、１階床３１を土間２１に拡張したり、２階床４２を吹抜け部４５に拡張し、１階床３１や２階床４２の床面積を増やす。１階床３１の拡張部に和室６１を設け、２階床４２に子供室６２を増設する。２階床４２には、洗面室６３、トイレ６４も設けられる。吹抜け部４５にサウンドボックス４９を設けることもできる。ステージ３は、子供が大きくなり、部屋数が必要になった暮らしに対応する。
【００５６】
ステージ３では、土間２１を１階床３１に変えて和室６１を設置した部分に設けてあった扉１５Ｂを掃出し窓１５Ｃに変更する。また、吹抜け部４５を２階床４２に替えて主寝室４３とした部分に設けてあった嵌め殺し窓１５Ｄをバルコニー付掃出し窓１５Ｆに変更する。
【００５７】
（ステージ４）（図１（Ｅ）、図２（Ｃ）、図７）
建物１０は、ステージ４で、２階床４２を２階の全面に拡張し、更に子供室７１を増設する。ステージ４は、大家族で暮らせる家を構成する。
【００５８】
建物１０は、間仕切り壁７２や収納７３の配置を移動可能にし、将来の両親同居にも対応できる。
【００５９】
ステージ４では、吹抜け部４５を２階床４２に替えて主寝室４３とした部分に設けてあった嵌め殺し窓１５Ｄをバルコニー付掃出し窓１５Ｆに変更し、子供室７１を設けた部分に設けてあった閉塞パネル１５Ｅを撤去し、ここに窓１５Ｇを新設する。
【００６０】
本実施形態によれば以下の作用がある。
（１）グローイング住宅１は、建物１０内に大空間を形成する、躯体、壁１３、屋根１４を備えた建物１０に、ライフスタイル等の変化に応じた各ステージ０〜４で、床３１、４２、間仕切り壁３４Ａ、３５Ａ、３６Ａ、７２及び／又は設備（台所３４、洗面浴室３５、トイレ３６、洗面室６３、トイレ６４）を追加（削除、移設もあり得る）して設ける。これにより、建物１０の部屋数や設備を必要に応じて多様に変化させることができる。
【００６１】
（２）建物１０の初期ステージ（ステージ０）では、建物１０内の全面を土間２１とすることにより、床３１、間仕切壁３４Ａ、３５Ａ、３６Ａ、設備のない体育館のような総吹抜けの大空間からなる簡素な生活空間を最低価格で得ることができる。
【００６２】
（３）建物１０のあるステージ（ステージ１）では、土間２１の一部に床３１を設ける。土間２１の側はガレージ等の趣味のスペース３２として利用し、床３１の側はリビング３３等として利用できる。部屋数が必要ないとき、趣味のスペース３２を広くできる。
【００６３】
（４）建物１０のあるステージ（ステージ１）では、床３１の上に台所３４、洗面浴室３５、トイレ３６等の水回り設備を設置することにより、生活空間の充実を図ることができる。
【００６４】
（５）建物１０のあるステージ（ステージ１）では、床３１の上に設けた間仕切り壁３４Ａ、３５Ａ、３６Ａの上に寝室３７、収納室３８等の部屋を設けることにより、生活空間の一層の充実を図ることができる。
【００６５】
（６）建物１０のあるステージ（ステージ２）では、必要な広さの２階床４２に設け、２階床４２の上に子供室４４、主寝室４３等の部屋を設けることができる。部屋数を必要に応じて増設できる。
【００６６】
（７）２階床４２を支持する床梁４１を柱勝ちの接合仕口で柱１１に接合することにより、建物１０の躯体を構成している既築の柱１１に床梁４１を容易に後付けできるし、柱１１の任意の高さ位置に床梁４１を接合でき、２階床４２の階高を自由に選ぶこともできる。床梁４１に仮の部屋や子供の遊び具等を設置できる。
【００６７】
（８）建物１０のあるステージ（ステージ０〜ステージ３）で、下階から上階に渡る吹抜け部２２、４５を設けることもできる。
【００６８】
（９）吹抜け部４５は、ネット４６Ａ、ブランコ４６Ｂ等の遊び具を設け、アスレチックのような子供の遊び場４６として利用できる。
【００６９】
（１０）建物１０のあるステージ（ステージ１）で、小屋裏空間１７を設けることもできる。
【００７０】
（１１）建物１０の躯体に、各ステージ（ステージ０〜４）で採用される予定の間取りを想定した位置に開口部１５を設けておくことにより、各ステージ０〜４で所望の窓（玄関ドア１５Ａ、扉１５Ｂ、掃出し窓１５Ｃ、嵌め殺し窓１５Ｄ、バルコニー付掃出し窓１５Ｆ、窓１５Ｇ等）を容易に形成できる。
【００７１】
（１２）建物１０の各ステージ０〜４で、建物１０の開口部１５に窓１５Ｇを新設したり、吹抜け部４５の嵌め殺し窓１５Ｄ等の既設窓を、バルコニー付掃出し窓１５Ｆ等の他の窓に変更できる。
【００７２】
（１３）建物１０に設けた間仕切り壁７２や収納７３の配置を移動可能にすることにより、将来の両親同居等にも対応できる。
【００７３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、ステージを戻ってもよいし、間仕切り壁や部屋を減らすこともできる。また、本発明は２階建て建物に限らず、１階建て、３階建て以上の建物にも適用できる。
【００７４】
【発明の効果】
以上のように本発明によれば、ライフスタイル等の変化に応じて、建物の部屋数や設備を多様に変化させることのできるグローイング住宅を構成できる。
【図面の簡単な説明】
【図１】図１はグローイング住宅の変化を示し、（Ａ）はステージ０を示す模式側面図、（Ｂ）はステージ１を示す模式側面図、（Ｃ）はステージ２を示す模式側面図、（Ｄ）はステージ３を示す模式側面図、（Ｅ）はステージ４を示す模式側面図である。
【図２】図２はグローイング住宅の外観を示し、（Ａ）はステージ０〜２を示す正面図、（Ｂ）はステージ３を示す正面図、（Ｃ）はステージ４を示す正面図である。
【図３】図３はグローイング住宅のステージ０の間取りを示し、（Ａ）は１階を示す平面図、（Ｂ）は２階を示す平面図である。
【図４】図４はグローイング住宅のステージ１の間取りを示し、（Ａ）は１階を示す平面図、（Ｂ）は２階を示す平面図、（Ｃ）は小屋裏を示す平面図である。
【図５】図５はグローイング住宅のステージ２の間取りを示し、（Ａ）は１階を示す平面図、（Ｂ）は２階を示す平面図、（Ｃ）は小屋裏を示す平面図である。
【図６】図６はグローイング住宅のステージ３の間取りを示し、（Ａ）は１階を示す平面図、（Ｂ）は２階を示す平面図、（Ｃ）は小屋裏を示す平面図である。
【図７】図７はグローイング住宅のステージ４の間取りを示し、（Ａ）は１階を示す平面図、（Ｂ）は２階を示す平面図、（Ｃ）は小屋裏を示す平面図である。
【図８】図８はグローイング住宅のステージ０を示す斜視図である。
【図９】図９はグローイング住宅のステージ１を示す斜視図である。
【図１０】図１０はグローイング住宅のステージ２の第１例を示す斜視図である。
【図１１】図１１はグローイング住宅のステージ２の第２例を示す斜視図である。
【図１２】図１２はグローイング住宅のステージ２の第３例を示す斜視図である。
【図１３】図１３はグローイング住宅のステージ３を示す斜視図である。
【図１４】図１４は柱−梁接合仕口を示す斜視図である。
【図１５】図１５は補強部材を示し、（Ａ）は正面図、（Ｂ）は平面図である。
【図１６】図１６は柱勝ちの接合仕口を示す正面図である。
【符号の説明】
１　グローイング住宅
１１　柱
１０　建物
１２　梁
１５　開口部
１５Ａ　玄関ドア
１５Ｂ　扉
１５Ｃ　掃出し窓
１５Ｄ　嵌め殺し窓
１５Ｅ　閉塞パネル
１５Ｆ　バルコニー付掃出し窓
１５Ｇ　窓
１７　小屋裏空間
２１　土間
２２　吹抜け部
３１　１階床
３４　台所
３４Ａ、３５Ａ、３６Ａ　間仕切り壁
３５　洗面浴室
３６　トイレ
３７　寝室
３８　収納室
４１　床梁
４２　２階床
４５　吹抜け部
４６　遊び場
４６Ａ　ネット
４６Ｂ　ブランコ
４６Ｃ　滑り台
４６Ｄ　砂場
４６Ｅ　のぼり棒
４６Ｆ　ロッククライミング
４６Ｇ　ネットジム
４９　サウンドボックス
６３　洗面室
６４　トイレ
７２　間仕切り壁
７３　収納
【図１】
2004027675.tif 000003
【図２】
2004027675.tif 000004
【図３】
2004027675.tif 000005
【図４】
2004027675.tif 000006
【図５】
2004027675.tif 000007
【図６】
2004027675.tif 000008
【図７】
2004027675.tif 000009
【図８】
2004027675.tif 000010
【図９】
2004027675.tif 000011
【図１０】
2004027675.tif 000012
【図１１】
2004027675.tif 000013
【図１２】
2004027675.tif 000014
【図１３】
2004027675.tif 000015
【図１４】
2004027675.tif 000016
【図１５】
2004027675.tif 000017
【図１６】
2004027675.tif 000018